(57)【要約】【課題】ホースの端末に近い部分について耐圧性能や水漏れの有無の検査に際し、試験の対象となる範囲から空気を排除してその上部を確実にピンチして閉塞し、確実に検査することのできる検査装置を提供することを目的とする。【解決手段】ホース７の端末を結合する結合金具９と、当該結合金具９内に立設されてホース７内に進入する中子１０と、当該中子１０の上方に設けられたホース７を扁平に挟んで閉鎖するホース閉鎖装置１２とよりなり、前記結合金具９から当該結合金具９に結合されたホース７内に圧力流体を送入して結合金具９とホース閉鎖装置１２との間のホース７に内圧を作用させるようになっている。【選択図】　　　　　図１
2004045059.tif 000002
【特許請求の範囲】
【請求項１】
ホース（７）の端末を結合する結合金具（９）と、当該結合金具（９）内に立設されてホース（７）内に進入する中子（１０）と、当該中子（１０）の上方に設けられたホース（７）を扁平に挟んで閉鎖するホース閉鎖装置（１２）とよりなり、前記結合金具（９）から当該結合金具（９）に結合されたホース（７）内に圧力流体を送入して結合金具（９）とホース閉鎖装置（１２）との間のホース（７）に内圧を作用させるようにしたことを特徴とする、ホースの検査装置
【請求項２】
前記ホース閉鎖装置（１２）が、基板（１３）と、ホース（７）を挟んで当該基板（１３）に対して回動自在に設けられた挟圧板（１５）とよりなり、ホース（７）の内圧により挟圧板（１５）の下部が前記基板（１３）から離れる方向に回動することにより、挟圧板（１５）の上部と基板（１３）との間にホース（７）を挟圧するようになっていることを特徴とする、請求項１に記載のホースの検査装置
【発明の詳細な説明】
【０００１】
【発明の属する技術分野】
本発明はホースの検査装置に関するものであって、さらに詳しくは、消防用ホースなどの扁平に折り畳むことのできるホースの端末から圧力流体を送入して、当該ホースの端末に近い部分に内圧を作用させ、当該ホースの耐圧性能や水洩れの有無などを検査するための装置に関するものである。
【０００２】
【従来の技術】
一般に消防用ホースは、繊維を筒状に織成してなるジャケットの内面にゴム又は合成樹脂のライニングを施したものであって、その両端に継手金具が取り付けられており、通常は扁平に折り畳んだ状態でコイル状に巻回し、又はジグザグに折り畳んで収納し、水を送入して内圧をかけることにより断面円形に膨らみ、送水することができる。
【０００３】
而して一般にこの種の消防用ホースは、比較的高圧で使用されるため、その全長に亙って内圧をかけて耐圧性能や水洩れの有無を検査し、その検査に合格したもののみが使用に供される。
【０００４】
しかしながらこの種の消防用ホースにおいては、前述のように通常は扁平に折り畳まれたホースの両端に継手金具が取り付けられているため、長期に亙って使用しているとホースの両端に近い部分において傷がつきやすく、耐圧性能が低下したり水洩れが生じやすくなるので、定期的にホースの両端に近い部分について検査をすることが好ましい。
【０００５】
またビルディング内に設置される屋内消火栓に使用されるホースは、その使用頻度は極めて低く、ビルディングが建築されてから取り壊されるまで一度も使用されることがないのが実情である。
【０００６】
そのためホースを設置してから、数十年に亙って一度も使用されることなく消火栓ボックス内に放置され、その間にジャケットを構成する繊維が劣化して耐圧性能が低下したり、ライニングのゴムや合成樹脂が劣化して水洩れを生じている可能性があり、いざ火災が発生してホースを使用しようとしたときに使用できない可能性がある。
【０００７】
そのためこの種の屋内消火栓内のホースについても、定期的にその耐圧性能や水洩れの有無を検査することが好ましい。この場合においても、ホースの全長に亙って検査する必要はなく、特に損傷が生じやすい両端に近い部分のみについて検査すれば十分であると考えられる。
【０００８】
かかるホースの端部の検査装置として、実用新案登録第３０１１０７９号公報に記載されたものが知られている。このものはホースの端末の継手金具を結合する結合金具と、継手金具に近いホースの途中を閉鎖するクランプ装置とを有し、ホースの途中をクランプ装置で閉鎖した状態で、前記結合金具からホース内に水を送入し、クランプ装置と結合金具との間のホースに内圧をかけて、検査をするものである。
【０００９】
またかかる検査装置におけるクランプ装置として、出願人は先に特願２００１−２０７３５２号として出願したものがある。これは基盤と当該基盤に対してシーソー状に回動自在に設けられた挟圧板とよりなり、その基盤と挟圧板との間にホースの途中を挟んでホースに内圧をかけると、ホースが膨らむことにより基盤に対して挟圧板が回動し、基盤と挟圧板の一縁との間にホースを挟圧して閉鎖するものであって、構造が簡単で特別の作業を必要とせずホースを任意の位置で確実に閉鎖することができるものである。
【００１０】
【発明が解決しようとする課題】
前記実用新案公報に記載された装置においては、ホースをその途中で閉鎖する手段として、ホースの両側に一対のニップローラーを配置してその少なくとも一方を偏心ローラーとし、ホース内に水を送入してホース内の空気が上方に抜けた後、その偏心ローラーを回転させてホースを挟圧し、水の流通を閉鎖することが記載されている。
【００１１】
しかしながらこのような構造では、ホース内の空気が抜けた後に、偏心ローラーを回転させてホースを挟圧して閉鎖する作業が必要であり、ホースに送入した水がニップローラーに到達した直後に偏心ローラーを回転させる必要があり、操作のタイミングがずれると適切に検査できない可能性がある。
【００１２】
閉鎖が早過ぎて、空気抜きが不十分でホース内に空気が残留したままで加圧すると、ホースにピンホールがあったような場合にはそこからは空気が漏出するために、水洩れが検出できなくなる可能性がある。
【００１３】
また逆に、偏心ローラーの回転が遅れると、多量の水が上方に流れてしまう可能性もある。特にニップローラーより上方まで水が流れて水圧が作用すると、ニップローラーはその水圧に抗してホースを挟圧しなければならないため、偏心ローラーの回転が困難になる。
【００１４】
前記特願２００１−２０７３５２号出願に記載した閉鎖装置は、ホースを閉鎖するために特別の操作を必要とせず、また送入された水によりホースが膨らむことによって挟圧板が回動してホースを挟圧して閉鎖するので、ホース内の空気が完全に抜けた直後にホースは自動的に強く挟圧される。
【００１５】
しかしながら前述の屋内消火栓に収容されたホースのように、数十年にも亙って消火栓内に放置されていたホースは、長期間に亙って扁平に折り畳まれたままで一度も膨らまされることがない。
【００１６】
そのためかかるホースにおいては、扁平に折り畳まれた状態で強くくせがついており、多少の内圧をかけてもホースが膨らむことができず、前記挟圧板が回動することなく挟圧位置を超えて水が上昇し、ホースに水圧を作用させることができないことがある。
【００１７】
本発明はかかる事情に鑑みなされたものであって、ホースの端末に近い部分について耐圧性能や水漏れの有無の検査に際し、試験の対象となる範囲から空気を排除してその上部を確実にピンチして閉塞し、確実に検査することのできる検査装置を提供することを目的とするものである。
【００１８】
【課題を解決するための手段】
而して本発明は、ホースの端末を結合する結合金具と、当該結合金具内に立設されてホース内に進入する中子と、当該中子の上方に設けられたホースを扁平に挟んで閉鎖するホース閉鎖装置とよりなり、前記結合金具から当該結合金具に結合されたホース内に圧力流体を送入して結合金具とホース閉鎖装置との間のホースに内圧を作用させるようにしたことを特徴とするものである。
【００１９】
本発明においては、前記ホース閉鎖装置として、基板と、ホースを挟んで当該基板に対して回動自在に設けられた挟圧板とよりなり、ホースの内圧により挟圧板の下部が前記基板から離れる方向に回動することにより、挟圧板の上部と基板との間にホースを挟圧するようにしたものを使用するのが好ましい。
【００２０】
【発明の実施の形態】
図１及び図２は本発明のホースの検査装置１を示すものである。この検査装置１において、フレーム２に両端を閉塞した水圧管３が取り付けられており、当該水圧管３には送水管４と水抜き管５とが取り付けられ、送水管４はポンプ（図示せず）を介して水タンク（図示せず）に接続され、水タンク内の水をポンプで水圧管３に圧入するようになっており、また水抜き管５はコック６を開いて水圧管３内の水を前記水タンクに戻すようになっている。
【００２１】
また水圧管３には、ホース７の両端の継手金具８に結合する結合金具９が接続されており、当該結合金具９内には中子１０が立設され、当該中子１０内に前記水圧管３内に通じる通水路１１が形成されている。
【００２２】
前記中子１０は、継手金具８内を通ってホース７内に進入し、ホース７を内側からある程度押し拡げることができる程度の太さが必要であり、ホース７の内径の５０〜９０％程度の外径を有するものが適当である。
【００２３】
また図面の例では、中子１０内を通って通水路１１が形成されているが、水圧管３内の水を継手金具８内の中子１０の外に送水するように、水の通路を形成することもできる。
【００２４】
また中子１０の上方には、ホース７を扁平に挟んで閉鎖する閉鎖装置１２が設けられている。当該閉鎖装置１２は、フレーム２の背面側に設けられた基板１３の前面に側板１４が立設され、当該側板１４間に挟圧板１５が回動自在に架設されている。
【００２５】
さらに詳しくは、基板１３における中子１０から上方に延びるホース７を挟んだ両側に側板１４が形成され、当該基板１３の上縁に切り欠き１６が形成されており、前記挟圧板１５に固定された回動軸１７の両端部が、前記切り欠き１６に回動自在に嵌合され、支持されている。
【００２６】
挟圧板１５と基板１３との間隔は、この閉鎖装置１２により閉鎖されるホース７を扁平に折り畳んだときの厚みよりも大きく、且つそのホース７が内圧により膨らんだときの外径よりも十分に小さい大きさとするべきである。また前記回動軸１７は、挟圧板１５に対して、その挟圧板１５の中央よりも上方に偏倚した位置に固定されるのが好ましい。
【００２７】
また閉鎖装置１２と前記中子１０との間隔は、できるだけ小さいことが好ましい。図面においては閉鎖装置１２は中子１０の先端のやゝ上方に設けられているが、中子１０が閉鎖装置１２における挟圧板１５の下端部と基板１３との間に若干入り込んでいても差し支えない。
【００２８】
【作用】
而して本発明の検査装置１を使用してホースの検査を行う方法について説明する。図３（ａ）は本発明の検査装置１の主要部であって、挟圧板１５は基板１３から取り外されている。
【００２９】
そこで先ず、ホース７の両端部を中子１０に上方から嵌合し、そのホース７の端末に取り付けられた継手金具８を、結合金具９に結合する。この状態が図３（ｂ）に示されている。
【００３０】
この状態で図３（ｃ）に示すように、ホース７の表面側から側板１４の切り欠き１６に挟圧板１５の回動軸１７の両端を嵌合する。このとき挟圧板１５と基板１３との間のホース７は、その下方において内側に中子１０が挿入されているために下部が膨らんでおり、挟圧板１５は回動軸１７を軸として回動して、上端縁が基板１３に接近する方向に傾斜した状態となり、当該上端縁がホース７を軽く押圧する。
【００３１】
この状態で前記ポンプから送水管４を経て水圧管３に水を送入すると、その水は通水路１１を通ってホース７内に進入し、ホース７はその水の圧力で膨らむと共に、ホース７内の空気は上方に排出される。
【００３２】
このとき前記挟圧板１５の上端縁と基板１３との間にホース７が挟まれているが、その挟圧する力は小さく、また空気は粘度が低いために狭い隙間を通って上昇することができ、継手金具８と閉鎖装置１２との間に滞留していた空気は挟圧部の隙間を通して確実に排出される。
【００３３】
そしてホース７内の空気が完全に上方に抜けてしまい、それに続いて水が挟圧部に至ると、水は空気に較べると粘度が大幅に大きいため、ホース７の僅かな間隙を通過する速度が大幅に低下する。そのため挟圧部の下部に水が滞留してホース７が膨らみ、水圧が上昇する。
【００３４】
そしてホース７が膨らむと、図３（ｄ）に示されるように、挟圧板１５の下部が膨らんだホース７によって押し拡げられ、それによって挟圧板１５の上端が基板１３に接近し、当該挟圧板１５の上端と基板１３との間にホース７を強く挟圧する。
【００３５】
これにより膨らんだホース７の圧力によって、挟圧板１５の下部が強く押し拡げられ、挟圧板１５は回動軸１７を軸として図中反時計方向に回動し、挟圧板１５の上端が基板１３との間にホース７を強く挟圧し、ホース７を完全に閉鎖するのである。
【００３６】
そしてホース７内の圧力が高まれば、それに応じて挟圧板１５の先端がホース７を挟圧する力も増強されることとなり、その挟圧部を水が通過するのを完全に遮断することができる。
【００３７】
前記出願に記載した装置においても、閉鎖装置の下方のホースが適切に膨らめば同様に作動するが、ホースにはたかだか数十ｃｍ程度の水頭圧しかかからないため、ホースの折り畳みくせが強い場合には十分に膨らまないことがあり、挟圧板が正しく回動してホースを挟圧し得ないことがある。
【００３８】
これに対し本発明の装置においては、中子１０で挟圧板１５の下部を強制的に押し拡げることにより、挟圧板１５の上端縁を基板１３に接近させてホースを軽く挟圧し、その挟圧部に空気は抜けるが水は通過するには抵抗がある程度の隙間が形成されて、閉鎖装置１２を確実に作動させるのである。
【００３９】
またホース７の検査が終了したならば、コック６を開いてホース７内の水を排出する。ホース７内の水圧が低下すれば、ホース７が挟圧板１５の下部を押し拡げる力も低下し、ホース７の挟圧は解除されて挟圧板１５は図３（ｃ）の状態に復帰する。そこで挟圧板１５を基板１３から分離し、継手金具８と結合金具９との結合を解いてホース７を取り外す。
【００４０】
【発明の効果】
従って本発明によれば、ホース７を中子１０に被せて継手金具８を結合金具９に結合することにより、挟圧板１５が回動してその上端縁が基板１３との間にホース７を軽く挟み、この状態でホース７に水を送入することにより、ホース７内の空気が挟圧板１５と基板１３との間に挟まれたホース７の狭い隙間から上方に抜け、ホース７内に水が満たされた後は、ホース７内の水圧により挟圧板１５がさらに回動し、挟圧板１５の上端縁と基板１３との間にホース７を強く挟圧し、ホース７が閉塞されてホース７の耐圧性能や水洩れの有無について検査することができる。
【００４１】
従って前記出願に記載した装置のように、ホース７に強い折り畳みくせがついているような場合においても、ホース７を中子１０に被せることにより強制的にある程度膨らませるので、折り畳みくせのためにホース７が膨らまず、水が挟圧部を超えて上昇することがなく、適切に検査することができる。
【００４２】
また本発明の検査装置１は、可搬式であることが必要である。特に前述のようなビルディングなどにおける屋内消火栓に収容されたホースについて検査する場合には、当該屋内消火栓の設置場所に移動してそこで検査するため、人が容易に持ち運ぶことができる程度の可搬性を有することが求められる。
【００４３】
一方、ホース７は、屋内消火栓用のものであっても、１０ｋｇｆ近い高度の耐圧　性能を有しており、そのホース７の耐圧性能の検査をすることができ、且つ前述のような可搬性を有するためには、検査装置１に使用するポンプとしては小型のピストンポンプが使用される。
【００４４】
しかしながらピストンポンプは、高い圧力を作り出すことができる反面、送水速度が遅く、特に可搬式の装置に搭載できる程度の小型の装置では、その速度は極めて遅く、継手金具８から閉鎖装置１２に至る長さのホース７に水を満たすためにも、長時間を要する。また手動式のピストンポンプの場合には、ホース７に水を満たすためだけに多大の労力を要する。
【００４５】
これに対し本発明の検査装置１によれば、継手金具８から閉鎖装置１２に至るホース７内に中子１０が送入されており、当該部分のホース７の内容積の大きい部分を中子１０が占める。そのため、検査のためにホース７内を満たすに要する水の量は大幅に少なくて済み、ホース７を加圧するための時間や労力を削減することができる。
【図面の簡単な説明】
【図１】本発明の検査装置の一部を断面で示した正面図
【図２】本発明の検査装置の中央縦断面図
【図３】本発明の検査装置でホースの検査をする過程を示す中央縦断面図
【符号の説明】
７　ホース
９　結合金具
１０　中子
１２　閉鎖装置
１３　基板
１５　挟圧板
【図１】
2004045059.tif 000003
【図２】
2004045059.tif 000004
【図３】
2004045059.tif 000005